(57)【要約】【課題】耐湿性に優れた蓄電デバイスを提供する。【解決手段】蓄電デバイス１は、機能部１０Ａと、外装体１０Ｂとを備える。機能部１０Ａは、第１の内部電極１１と、第２の内部電極１２と、電解質層１３とを有する。電解質層１３は、第１の内部電極１１と第２の内部電極１２との間に配されている。外装体１０Ｂは、機能部１０Ａの少なくとも一部を覆っている。外装体１０Ｂは、細長形状の無機フィラーを含む樹脂組成物により構成されている、無機フィラーの配向方向が、外装体１０Ｂの厚み方向に対して傾斜した方向である。【選択図】図３
2019004100.tif 000002
【特許請求の範囲】
【請求項１】
第１の内部電極と、第２の内部電極と、前記第１の内部電極と前記第２の内部電極との間に配された電解質層とを有する機能部と、
前記機能部の少なくとも一部を覆う外装体と、
を備え、
前記外装体は、細長形状の無機フィラーを含む樹脂組成物により構成されており、
前記無機フィラーの配向方向が、前記外装体の厚み方向に対して傾斜した方向である、蓄電デバイス。
【請求項２】
前記無機フィラーの配向方向が、前記外装体の厚み方向に対して４５°以上傾斜している、請求項１に記載の蓄電デバイス。
【請求項３】
前記樹脂組成物が、液晶樹脂組成物である、請求項１又は２に記載の蓄電デバイス。
【請求項４】
前記無機フィラーが、ガラスファイバー、シリカ、チタニア，アルミナ，タルク及び酸化マグネシウムからなる群から選ばれた少なくとも一種の無機フィラーを含む、請求項１〜３のいずれか一項に記載の蓄電デバイス。
【請求項５】
前記機能部は、長さ方向及び幅方向に沿って延びる第１及び第２の主面と、長さ方向及び厚み方向に沿って延びる第１及び第２の側面と、幅方向及び厚み方向に沿って延びる第１及び第２の端面とを有し、
前記第１の内部電極が前記第１及び第２の端面のうち、前記第１の端面に引き出されており、
前記第２の内部電極が前記第１及び第２の端面のうち、前記第２の端面に引き出されており、
前記外装体は、前記機能部の前記第１及び第２の主面並びに前記第１及び第２の側面を覆うように設けられており、
前記機能部及び前記外装体を含むデバイス本体の前記第１の端面側の部分を覆う第１の金属キャップを含み、前記第１の内部電極に電気的に接続された第１の外部電極と、
前記デバイス本体の前記第２の端面側の部分を覆う第２の金属キャップを含み、前記第２の内部電極に電気的に接続された第２の外部電極と、
をさらに備える、請求項１〜４のいずれか一項に記載の蓄電デバイス。
【請求項６】
前記外装体は、
前記第２の主面を覆う底壁部と、前記底壁部の幅方向における一方側端部から延びており、前記第１の側面を覆う第１の側壁部と、前記底壁部の幅方向における他方側端部から延びており、前記第２の側面を覆う第２の側壁部とを有する外装体本体と、
前記第１の主面を覆うように設けられており、前記第１の側壁部と前記第２の側壁部とに接着された蓋と、
を有する、請求項５に記載の蓄電デバイス。 
【発明の詳細な説明】
【技術分野】
【０００１】
本発明は、蓄電デバイスに関する。
【背景技術】
【０００２】
従来、電気二重層コンデンサや二次電池などの蓄電デバイスが種々知られている。例えば特許文献１には、その一例が記載されている。特許文献１には、液晶ポリマー製のケースを備えるキャパシタが記載されている。
【先行技術文献】
【特許文献】
【０００３】
【特許文献１】特開２０１１-４４６８２号公報
【発明の概要】
【発明が解決しようとする課題】
【０００４】
特許文献１にも記載されているように、キャパシタ等の蓄電デバイスのケースには水分透過性が低いことが求められる。蓄電デバイス内に水分が侵入すると、キャパシタの性能が劣化する虞があるためである。
【０００５】
本発明の主な目的は、耐湿性に優れた蓄電デバイスを提供することにある。
【課題を解決するための手段】
【０００６】
本発明に係る蓄電デバイスは、機能部と、外装体とを備える。機能部は、第１の内部電極と、第２の内部電極と、電解質層とを有する。電解質層は、第１の内部電極と第２の内部電極との間に配されている。外装体は、機能部の少なくとも一部を覆っている。外装体は、細長形状の無機フィラーを含む樹脂組成物により構成されている。無機フィラーの配向方向が、外装体の厚み方向に対して傾斜した方向である。
【０００７】
無機フィラーは、有機物質である樹脂との親和性が低い。このため、無機フィラーと樹脂との間に空隙が生じやすい。ここで、例えば、無機フィラーが外装体の厚み方向に配向している場合は、無機フィラーに沿って生じた空隙が外装体の厚み方向に沿って延びる。このため、空隙により外装体に厚み寸法が薄い部分が生じる。従って、機能部に水分が侵入しやすい。
【０００８】
それに対して、本発明に係る蓄電デバイスでは、上述の通り、無機フィラーの配向方向が、外装体の厚み方向に対して傾斜した方向である。このため、たとえ、無機フィラーと樹脂との間に空隙が生じたとしても、外装体の厚み方向に対して傾斜した方向に延びる空隙が生じることとなる。よって、空隙が生じた場合であっても、外装体に厚み寸法が薄い部分が生じ難い。従って、機能部に水分が侵入しにくい。よって、本発明に係る蓄電デバイスは、優れた耐湿性を有している。
【０００９】
本発明に係る蓄電デバイスでは、無機フィラーの配向方向が、外装体の厚み方向に対して４５°以上傾斜していることが好ましい。
【００１０】
本発明に係る蓄電デバイスでは、無機フィラーが、ガラスファイバー、シリカ、チタニア、アルミナ、タルク及び酸化マグネシウムからなる群から選ばれた少なくとも一種の無機フィラーを含むことが好ましい。
【００１１】
本発明に係る蓄電デバイスでは、機能部は、長さ方向及び幅方向に沿って延びる第１及び第２の主面と、長さ方向及び厚み方向に沿って延びる第１及び第２の側面と、幅方向及び厚み方向に沿って延びる第１及び第２の端面とを有していてもよい。その場合、第１の内部電極が第１及び第２の端面のうち、第１の端面に引き出されていてもよい。第２の内部電極が第１及び第２の端面のうち、第２の端面に引き出されていてもよい。外装体は、機能部の第１及び第２の主面並びに第１及び第２の側面を覆うように設けられていてもよい。その場合、機能部及び外装体を含むデバイス本体の第１の端面側の部分を覆う第１の金属キャップを含み、第１の内部電極に電気的に接続された第１の外部電極と、デバイス本体の第２の端面側の部分を覆う第２の金属キャップを含み、第２の内部電極に電気的に接続された第２の外部電極とがさらに設けられていることが好ましい。
【００１２】
本発明に係る蓄電デバイスでは、外装体が、第２の主面を覆う底壁部と、底壁部の幅方向における一方側端部から延びており、第１の側面を覆う第１の側壁部と、底壁部の幅方向における他方側端部から延びており、第２の側面を覆う第２の側壁部とを有する外装体本体と、第１の主面を覆うように設けられており、第１の側壁部と第２の側壁部とに接着された蓋と有していてもよい。
【発明の効果】
【００１３】
本発明によれば、耐湿性に優れた蓄電デバイスを提供することができる。
【図面の簡単な説明】
【００１４】
【図１】本発明の一実施形態に係る蓄電デバイスの模式的斜視図である。
【図２】図１の線ＩＩ−ＩＩにおける模式的断面図である。
【図３】図２の線ＩＩＩ−ＩＩＩにおける模式的断面図である。
【図４】本発明の一実施形態における蓄電デバイスの製造方法を説明するための模式的平面図である。
【図５】本発明の一実施形態における蓄電デバイスの製造方法を説明するための模式的斜視図である。
【図６】本発明の一実施形態における蓄電デバイスの製造方法を説明するための模式的斜視図である。
【図７】本発明の一実施形態における蓄電デバイスの製造方法を説明するための模式的斜視図である。
【図８】本発明の一実施形態における蓄電デバイスの製造方法を説明するための模式的斜視図である。
【図９】本発明の一実施形態における蓄電デバイスの製造方法を説明するための模式的側面図である。
【発明を実施するための形態】
【００１５】
以下、本発明を実施した好ましい形態の一例について説明する。但し、下記の実施形態は、単なる例示である。本発明は、下記の実施形態に何ら限定されない。
【００１６】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１７】
図１は、本実施形態に係る蓄電デバイスの模式的斜視図である。図２は、図１の線ＩＩ−ＩＩにおける模式的断面図である。図３は、図２の線ＩＩＩ−ＩＩＩにおける模式的断面図である。
【００１８】
図１〜図３に示す蓄電デバイス１は、例えば、電気二重層コンデンサや、二次電池を構成するデバイスである。
【００１９】
蓄電デバイス１は、デバイス本体１０を備えている。図２及び図３に示すように、デバイス本体１０は、機能部１０Ａと、外装体１０Ｂとを有する。
【００２０】
機能部１０Ａは、少なくとも一部が蓄電デバイスとしての機能を発現する部分である。機能部１０Ａは、直方体状に設けられている。機能部１０Ａは、第１及び第２の主面１０ａ１，１０ｂ１と、第１及び第２の側面１０ｃ１，１０ｄ１（図３を参照。）と、第１及び第２の端面１０ｅ１、１０ｆ１（図２を参照。）とを有する。第１及び第２の主面１０ａ１，１０ｂ１は、長さ方向Ｌ及び幅方向Ｗに沿って延びている。第１の主面１０ａ１と第２の主面１０ｂ１とは、厚み方向Ｔにおいて対向している。図３に示すように、第１及び第２の側面１０ｃ１，１０ｄ１は、長さ方向Ｌ及び厚み方向Ｔに沿って延びている。第１の側面１０ｃ１と第２の側面１０ｄ１とは、幅方向Ｗにおいて対向している。図２に示すように、第１及び第２の端面１０ｅ１、１０ｆ１は、幅方向Ｗ及び厚み方向Ｔに沿って延びている。第１の端面１０ｅ１と第２の端面１０ｆ１とは、長さ方向Ｌにおいて対向している。
【００２１】
なお、本発明において、「直方体状」には、角部や稜線部が、面取り状や丸められた形状を有する直方体状が含まれるものとする。
【００２２】
機能部１０Ａは、第１の内部電極１１と、第２の内部電極１２と、電解質層１３とを有する。
【００２３】
第１の内部電極１１は、長さ方向Ｌ及び幅方向Ｗに沿って延びている。第１の内部電極１１は、第１及び第２の主面１０ａ１，１０ｂ１と平行に設けられている。第１の内部電極１１は、第１の端面１０ｅ１に引き出されている一方、第１及び第２の側面１０ｃ１，１０ｄ１並びに第２の端面１０ｆ１には引き出されていない。
【００２４】
第１の内部電極１１は、第１の集電体１１ａと、第１の活物質層１１ｂとを有する。
【００２５】
第１の集電体１１ａは、例えば、アルミニウム、銅等の少なくとも一種の金属からなる金属箔等により構成することができる。
【００２６】
なお、本発明において、「金属」には、合金が含まれるものとする。
【００２７】
第１の集電体１１ａの一方側の表面の上には、第１の活物質層１１ｂが設けられている。第１の活物質層１１ｂは、活物質を含む。蓄電デバイス１が電気二重層コンデンサを構成している場合には、第１の活物質層１１ｂは、分極性電極を構成している。蓄電デバイス１が電気二重層コンデンサを構成している場合は、分極性電極としての第１の活物質層１１ｂは、例えば、活性炭などの炭素材料を活物質として含んでいることが好ましい。
【００２８】
第２の内部電極１２は、長さ方向Ｌ及び幅方向Ｗに沿って延びている。第２の内部電極１２は、第１及び第２の主面１０ａ１，１０ｂ１と平行に設けられている。第２の内部電極１２は、第２の端面１０ｆ１に引き出されている一方、第１及び第２の側面１０ｃ１，１０ｄ１並びに第１の端面１０ｅ１には引き出されていない。第２の内部電極１２は、第１の内部電極１１に対して厚み方向Ｔに積層されている。第２の内部電極１２の第２の端面１０ｆ１側端部を除いた部分は、第１の内部電極１１の第１の端面１０ｅ１側端部を除いた部分と厚み方向Ｔにおいて対向している。
【００２９】
第２の内部電極１２は、第２の集電体１２ａと、第２の活物質層１２ｂとを有する。
【００３０】
第２の集電体１２ａは、例えば、アルミニウム、銅等の少なくとも一種の金属からなる金属箔により構成することができる。
【００３１】
第２の活物質層１２ｂは、第２の集電体１２ａの第１の内部電極１１側表面上に設けられている。第２の活物質層１２ｂは、第１の活物質層１１ｂと厚み方向Ｔにおいて対向している。第２の活物質層１２ｂは、活物質を含む。蓄電デバイス１が電気二重層コンデンサを構成している場合には、第２の活物質層１２ｂは、分極性電極を構成している。蓄電デバイス１が電気二重層コンデンサを構成している場合は、分極性電極としての第２の活物質層１２ｂは、例えば、活性炭などの炭素材料を活物質として含んでいることが好ましい。
【００３２】
第１の内部電極１１の第１の活物質層１１ｂと、第２の内部電極１２の第２の活物質層１２ｂとの間には、電解質層１３が設けられている。電解質層１３は、電解質を含む層である。電解質層１３は、ゲル状の電解質であるゲル電解質により構成されていてもよいし、電解液が含浸したセパレータ等の多孔質体により構成されていてもよい。ゲル電解質の具体例としては、例えば、電解質を含む高分子ポリエチレンオキサイド等が挙げられる。
【００３３】
電解質の具体例としては、例えば、ＥＭＩＴＦＳＩ（１−エチル−３−メチルイミダゾリウムビス（トリフルオロメタンスルホニル）イミド）、ＥＭＩＢＦ４（ホウフッ化１−エチル−３−メチルイミダゾリウム）等のイオン性液体、または、そのイオン性液体をプロピレンカーボネート、アセトニトリル等の有機溶媒に溶解させたものが挙げられる。これらの電解質のうちの１種のみを用いてもよいし、複数種類を混合して用いてもよい。
【００３４】
具体的には、本実施形態では、電解質層１３は、第１の電解質層１３ａと、第２の電解質層１３ｂとを有する。第１の電解質層１３ａは、第１の活物質層１１ｂの上に設けられている。一方、第２の電解質層１３ｂは、第２の活物質層１２ｂの上に設けられている。第１の電解質層１３ａと第２の電解質層１３ｂとは、電解質が相互に移動可能なように接触している。第１の電解質層１３ａと第２の電解質層１３ｂとは、密着していることが好ましい。
【００３５】
具体的には、本実施形態では、図２に示すように、第１の内部電極１１のうち、第１の集電体１１ａのみが第１の端面１０ｅ１に露出している。第２の内部電極１２のうち、第２の集電体１２ａのみが第２の端面１０ｆ１に露出している。第１の内部電極１１の第１の活物質層１１ｂ、第２の内部電極１２の第２の活物質層１２ｂ及び電解質層１３は、第１及び第２の端面１０ｅ、１０ｆに露出していない。
【００３６】
第１及び第２の活物質層１１ｂ、１２ｂ並びに電解質層１３と第１及び第２の端面１０ｅ１、１０ｆ１のそれぞれとの間には、絶縁層１５が設けられている。具体的には、絶縁層１５は、第１の絶縁層１５ａと、第２の絶縁層１５ｂとを有する。第１の絶縁層１５ａにより、第１の活物質層１１ｂ及び第１の電解質層１３ａが第１及び第２の端面１０ｅ１、１０ｆ１のそれぞれから隔離されている。第２の絶縁層１５ｂにより、第２の活物質層１２ｂ及び第２の電解質層１３ｂが第１及び第２の端面１０ｅ１、１０ｆ１のそれぞれから隔離されている。
【００３７】
図３に示すように、絶縁層１５は、第１及び第２の活物質層１１ｂ、１２ｂ並びに第１及び第２の電解質層１３ａ、１３ｂと、第１の側面１０ｃ１及び第２の側面１０ｄ１のそれぞれとを隔離するように設けられている。具体的には、第１の絶縁層１５ａにより、第１の活物質層１１ｂ及び第１の電解質層１３ａと第１及び第２の側面１０ｄ１のそれぞれとが隔離されている。すなわち、第１の絶縁層１５ａは、第１の活物質層１１ｂ及び第１の電解質層１３ａの第１及び第２の端面１０ｅ１、１０ｆ１側並びに第１及び第２の側面１０ｃ１，１０ｄ１側を覆うように設けられている。一方、第２の絶縁層１５ｂは、第２の活物質層１１ｂ及び第２の電解質層１３ｂと第１及び第２の側面１０ｃ１，１０ｄ１のそれぞれとを隔離している。すなわち、第２の絶縁層１５ｂは、第２の活物質層１１ｂ及び第２の電解質層１３ｂの第１及び第２の端面１０ｅ１、１０ｆ１側並びに第１及び第２の側面１０ｃ１，１０ｄ１側を覆うように設けられている。
【００３８】
なお、絶縁層１５は、例えば、ウレタン樹脂、アクリル樹脂、エポキシ樹脂、ポリイミド樹脂、シリコーン樹脂等により構成することができる。
【００３９】
本実施形態の蓄電デバイス１では、一対の第１及び第２の内部電極１１，１２、電解質層１３並びに絶縁層１５がひとつの蓄電ユニット１７を構成している。蓄電デバイス１では、蓄電ユニット１７が複数積層されており、この複数の蓄電ユニット１７の積層体が機能部１０Ａを構成している。なお、積層方向Ｔにおいて隣り合う蓄電ユニット１７は、接着層１６により接着されている。また、積層方向Ｔにおける最上層及び最下層のそれぞれに位置する蓄電ユニット１７は、外装体１０Ｂの内面に対して、接着層１６により接着されている。
【００４０】
もっとも、本発明は、上記構成に限定されない。例えば、本発明に係る蓄電デバイスは、蓄電ユニットをひとつのみ有していてもよい。蓄電ユニットは、電解質層を挟持する複数対の第１及び第２の内部電極１１，１２の積層体により構成されていてもよい。
【００４１】
機能部１０Ａの外側には、外装体１０Ｂが設けられている。この外装体１０Ｂは、機能部１０Ａへの水分等の侵入を抑制する機能や、機能部１０Ａからの電解液の漏洩を抑制する機能を有している。
【００４２】
外装体１０Ｂは、機能部１０Ａの少なくとも一部を覆っている。具体的には、外装体１０Ｂは、機能部１０Ａの第１及び第２の主面１０ａ１，１０ｂ１並びに第１及び第２の側面１０ｃ１，１０ｄ１を覆うように設けられている。機能部１０Ａの第１及び第２の端面１０ｅ、１０ｆは、外装体１０Ｂから露出している。
【００４３】
この外装体１０Ｂと機能部１０Ａとにより構成されたデバイス本体１０は、直方体状である。デバイス本体１０は、長さ方向Ｌ及び幅方向Ｗに沿って延びる第１及び第２の主面１０ａ２，１０ｂ２と、長さ方向Ｌ及び厚み方向Ｔに沿って延びる第１及び第２の側面１０ｃ２，１０ｄ２（図３を参照）と、幅方向Ｗ及び厚み方向Ｔに沿って延びる第１及び第２の端面１０ｅ２，１０ｆ２とを有する。第１の端面１０ｅ２の少なくとも一部は、第１の端面１０ｅ１により構成されている。第２の端面１０ｆ２の少なくとも一部は、第２の端面１０ｆ１により構成されている。
【００４４】
図３に示すように、外装体１０Ｂは、外装体本体１０Ｂ１と、蓋１０Ｂ２とを備えている。外装体本体１０Ｂ１は、底壁部１０Ｂ１１と、第１の側壁部１０Ｂ１２と、第２の側壁部１０Ｂ１３とを有する。底壁部１０Ｂ１１は、機能部１０Ａの第２の主面１０ｂ１を覆っている。第１の側壁部１０Ｂ１２は、底壁部１０Ｂ１１の幅方向Ｗにおける一方側端部から厚み方向Ｔにおける第１の主面１０ａ１側に向かって延びている。第１の側壁部１０Ｂ１２は、機能部１０Ａの第１の側面１０ｃ１を覆っている。第２の側壁部１０Ｂ１３は、底壁部１０Ｂ１１の幅方向Ｗにおける他方側端部から厚み方向Ｔにおける第１の主面１０ａ１側に向かって延びている。第２の側壁部１０Ｂ１３は、機能部１０Ａの第２の側面１０ｄ１を覆っている。
【００４５】
蓋１０Ｂ２は、外装体本体１０Ｂ１の溝の上面を閉口するように設けられている。蓋１０Ｂ２は、機能部１０Ａの第１の主面１０ａ１を覆うように設けられている。蓋１０Ｂ２の幅方向Ｗにおける一方側端部は、第１の側壁部１０Ｂ１２の上面に接着されている。一方、蓋１０Ｂ２の幅方向Ｗにおける他方側端部は、第２の側壁部１０Ｂ１２の上面に接着されている。
【００４６】
外装体１０Ｂ、詳細には、外装体１０Ｂのうち、外装体本体１０Ｂ１及び蓋１０Ｂ２は、細長形状の無機フィラーを含む樹脂組成物により構成されている。樹脂組成物を構成している樹脂は、例えば、液晶樹脂であることが好ましい。すなわち、外装体本体１０Ｂ１及び蓋１０Ｂ２を構成している樹脂組成物は、液晶樹脂組成物であることがより好ましい。好ましく用いられる液晶樹脂の具体例としては、例えば、パラヒドロキシ安息香酸、微フェノール、テレフタル酸等の液晶分子を含む液晶樹脂等が挙げられる。上記液晶分子のうちの１種のみを含む液晶樹脂を用いてもよいし、複数種類の液晶分子を含む液晶樹脂を用いてもよい。
【００４７】
液晶樹脂組成物における液晶分子の含有量は、２０質量％以上８０質量％以下であることが好ましく、３０質量％以上７０質量％以下であることがより好ましく、４０質量％以上６０質量％以下であることがさらに好ましい。
【００４８】
樹脂組成物に含まれる細長形状の無機フィラーの具体例としては、例えば、ガラスファイバー、シリカ、チタニア，アルミナ，タルク及び酸化マグネシウム等が挙げられる。樹脂組成物は、これらの無機フィラーのうちの１種のみを含んでいてもよいし、複数種類の無機フィラーを含んでいてもよい。
【００４９】
無機フィラーのアスペクト比は、特に限定されない。無機フィラーと無機フィラーを含む樹脂組成物とのアスペクト比は、１：１００以下であることが好ましく、１：１０以下であることがより好ましい。
【００５０】
無機フィラーの長手方向に沿った長さは、外装体本体１０Ｂ１と、蓋１０Ｂ２の厚み以下であることが好ましい。具体的には、無機フィラーの長手方向に沿った長さは、５００μｍ以下であることが好ましく、１００μｍ以下であることがより好ましい。
【００５１】
樹脂組成物における無機フィラーの含有量は、３０質量％以上７０質量％以下であることが好ましく、３５質量％以上６５質量％以下であることがより好ましく、４０質量％以上６０質量％以下であることがさらに好ましい。
【００５２】
図２に示すように、第１の端面１０ｅ１、１０ｅ２の上には、第１の内部電極１１に電気的に接続された第１の外部電極１８が設けられている。第１の外部電極１８は、第１の電極膜１８ａと、第１の導電性接着層１８ｂと、第１の金属キャップ１８ｃとを有する。
【００５３】
第１の端面１０ｅ１、１０ｅ２の上には、第１の電極膜１８ａが設けられている。この第１の電極膜１８ａにより、第１の端面１０ｅ１、１０ｅ２の実質的に全体が覆われている。
【００５４】
第１の金属キャップ１８ｃは、デバイス本体１０の第１の端面１０ｅ１、１０ｅ２側の部分を覆っている。具体的には、第１の金属キャップ１８ｃは、第１の端面１０ｅ１、１０ｅ２と、第１及び第２の主面１０ａ２，１０ｂ２並びに第１及び第２の側面１０ｃ２，１０ｄ２のそれぞれの第１の端面１０ｅ１、１０ｅ２側の部分を覆っている。第１の金属キャップ１８ｃと第１の電極膜１８ａとの間には、第１の導電性接着層１８ｂが設けられている。この第１の導電性接着層１８ｂにより、第１の金属キャップ１８ｃと第１の電極膜１８ａとが電気的に接続されている。
【００５５】
第２の端面１０ｆ１、１０ｆ２の上には、第２の内部電極１２に電気的に接続された第２の外部電極１９が設けられている。この第２の外部電極１９と上記第１の外部電極１８とにより機能部１０Ａの外装体１０Ｂからの露出部（第１及び第２の端面１０ｅ１，１０ｆ１）が覆われている。第２の外部電極１９は、第２の電極膜１９ａと、第２の導電性接着層１９ｂと、第２の金属キャップ１９ｃとを有する。
【００５６】
第２の端面１０ｆ１、１０ｆ２の上には、第２の電極膜１９ａが設けられている。この第２の電極膜１９ａにより、第２の端面１０ｆ１、１０ｆ２の実質的に全体が覆われている。
【００５７】
第２の金属キャップ１９ｃは、デバイス本体１０の第２の端面１０ｆ２側の部分を覆っている。具体的には、第２の金属キャップ１９ｃは、第２の端面１０ｆ２と、第１及び第２の主面１０ａ２，１０ｂ２並びに第１及び第２の側面１０ｃ２，１０ｄ２のそれぞれの第２の端面１０ｆ２側の部分を覆っている。第２の金属キャップ１９ｃと第２の電極膜１９ａとの間には、第２の導電性接着層１９ｂが設けられている。この第２の導電性接着層１９ｂにより、第２の金属キャップ１９ｃと第２の電極膜１９ａとが電気的に接続されている。
【００５８】
第１及び第２の電極膜１８ａ、１９ａは、それぞれ、溶射膜により構成されていることが好ましい。第１及び第２の電極膜１８ａ、１９ａは、例えば、Ａｌ、Ｃｕ、Ａｌ−Ｓｉからなる群から選ばれた少なくとも一種の金属により構成することができる。
【００５９】
第１及び第２の金属キャップ１８ｃ、１９ｃは、例えば、アロイ（Ｆｅ−４２Ｎｉ合金）を含む母材やアルミニウム又はアルミニウム合金からなる母材や、銅又は銅合金からなる母材と、母材の外表面を覆うＮｉ／Ａｇめっき又はＮｉ／Ａｕめっきとにより構成することができる。
【００６０】
以上説明したように、蓄電デバイス１では、外装体１０Ｂが無機フィラーを含んでいる。このため、外装体１０Ｂの水分透過度が低くされている。このため、機能部１０Ａに水分が侵入しにくい。よって、機能部１０Ａが水分により劣化し難い。従って、蓄電デバイス１は、優れた耐湿性を有している。
【００６１】
ところで、無機フィラーの種類によっては、無機フィラーと樹脂との密着性が低い場合がある。無機フィラーと樹脂との密着性が低い場合、無機フィラーと樹脂との間に空隙が生じる場合がある。本実施形態のように、細長形状の無機フィラーを用いた場合は、無機フィラーに沿った細長形状の空隙が生じ得る。例えば、細長形状の空隙が外装体の厚み方向に沿って形成された場合、外装体に厚み寸法が小さい部分が生じる。このため、外装体の水分透過度が上昇する。よって、機能部に水分が侵入しやすくなる。
【００６２】
それに対して、蓄電デバイス１では、無機フィラーの配向方向は、外装体１０Ｂの厚み方向に対して傾斜した方向である。このため、仮に、無機フィラーと樹脂との間に、無機フィラーの延びる方向に沿った細長形状の空隙が生じたとしても、外装体１０Ｂに厚み寸法が小さい部分が生じ難い。従って、機能部１０Ａに水分が侵入することが効果的に抑制されている。従って、蓄電デバイス１は、より優れた耐湿性を有している。
【００６３】
さらに優れた耐湿性を実現する観点からは、無機フィラーの配向方向が、外装体１０Ｂの厚み方向に対して４５°以上傾斜していることが好ましく、６０°以上傾斜していることがより好ましく、実質的に直交していることがさらに好ましい。
【００６４】
なお、無機フィラーの配向方向は、以下の要領で測定することができる。
【００６５】
すなわち、２次元，３次元の少なくともどちらか一方のＸ線透過画像を見て、無機フィラーのうち原子量の大きいものの傾きから測定することができる。
【００６６】
さらに優れた耐湿性を実現する観点からは、外装体１０Ｂを構成する樹脂組成物を液晶樹脂を含む液晶樹脂組成物とすることがより好ましい。
【００６７】
なお、無機フィラーの配向方向が外装体１０Ｂの厚み方向に対して傾斜した方向である外装体１０Ｂは、例えば、以下の要領で作製することができる。
【００６８】
まず、図４に示すように、板状の内部空間３０ａを有する成形型３０を用意する。成形型３０の側壁には、内部空間３０ａに接続された注入口３０ｂが設けられている。
【００６９】
次に、注入口３０ｂから内部空間３０ａ内に、無機フィラーを含む樹脂組成物の未硬化物を供給し、硬化させることにより、図５に示す樹脂組成物板３１を射出成型する。このように射出成型した場合、注入口３０ｂから樹脂が内部空間３０ａ内に樹脂組成物が広がっていくため、成型された樹脂組成物板３１においては、無機フィラーの配向方向は、樹脂組成物の広がっていく方向と一致する。このため、樹脂組成物板３１における無機フィラーの配向方向は、ｘ軸方向と傾斜した方向となり、特に、ｙ軸方向において注入口３０ｂとは反対側の部分においては、無機フィラーの配向方向は、ｙ軸方向とほぼ平行となる。
【００７０】
次に、図６に示すように、樹脂組成物板３１に対して、ｙ軸方向に沿った複数の線状凹部３２ａをｘ軸方向に相互に間隔をおいて形成することにより、第１の外装体母材３２を作製する。
【００７１】
また、複数のデバイス本体１０を構成するための母材を作製する。母材の作製は、公知の方法により製造することができる。その母材を短冊状にカットすることにより、短冊状母材３３（図７を参照。）を作製する。この短冊状母材３３は、デバイス本体１０を構成するための部分を、長手方向に沿って複数有している。
【００７２】
次に、図７に示すように、短冊状母材３３を、第１の外装体母材３２の複数の線状凹部３２ａのそれぞれに配置する。次に、図８に示すように、板状の第２の外装体母材３４を第１の外装体部材３２の上に被せ、接着することにより、母材３５を作製する。なお、第１及び第２の外装体母材３２，３４は、外装体１０Ｂを構成するための部材である。
【００７３】
第２の外装体母材３４は、例えば、樹脂組成物板３１と同様な射出成形法により作製することができる。
【００７４】
次に、母材３５をカットラインＣＬに沿って複数に分断する。これにより、図９に示す、外装体１０Ｂと、外装体１０Ｂに第１及び第２の主面１０ａ１、１０ｂ１並びに第１及び第２の側面１０ｃ１、１０ｄ１が覆われた機能部１０Ａとからなるデバイス本体１０を作製する。このデバイス本体１０の端面に対して粗化処理を行ってもよい。次に、デバイス本体１０の端面の稜線部を面取りすることにより、デバイス本体１０を完成させる。
【００７５】
次に、デバイス本体１０の端面に、溶射ガンを用いて溶射する。その後、乾燥させた後に、得られたチップを封止剤を含む溶液中に浸漬する。これにより、図２に示す、第１の溶射膜１８ａ及び第２の溶射膜１９ａを形成する。次に、チップを洗浄することにより、溶射膜１８ａ、１９ａの表面に溶射した金属粒子を露出させる。
【００７６】
次に、溶射膜１８ａ、１９ａの上に、導電性ペーストを塗布し、乾燥させることにより、導電性接着層１８ｂ、１９ｂを形成する。最後に、金属キャップ１８ｃ、１９ｃにチップを挿入することにより蓄電デバイス１を完成させることができる。
【符号の説明】
【００７７】
１          ：蓄電デバイス
１０        ：デバイス本体
１０Ａ      ：機能部
１０ａ１    ：第１の主面
１０ｂ１    ：第２の主面
１０ｃ１    ：第１の側面
１０ｄ１    ：第２の側面
１０ｅ１    ：第１の端面
１０ｆ１    ：第２の端面
１０Ｂ      ：外装体
１０ａ２    ：第１の主面
１０ｂ２    ：第２の主面
１０ｃ２    ：第２の側面
１０ｄ２    ：第２の側面
１０ｅ２    ：第２の端面
１０ｆ２    ：第２の端面
１０Ｂ１    ：外装体本体
１０Ｂ１１  ：底壁部
１０Ｂ１２  ：第１の側壁部
１０Ｂ１３  ：第２の側壁部
１０Ｂ２    ：蓋
１１        ：第１の内部電極
１１ａ      ：第１の集電体
１１ｂ      ：第１の活物質層
１２        ：第２の内部電極
１２ａ      ：第２の集電体
１２ｂ      ：第２の活物質層
１３        ：電解質層
１３ａ      ：第１の電解質層
１３ｂ      ：第２の電解質層
１５        ：絶縁層
１５ａ      ：第１の絶縁層
１５ｂ      ：第２の絶縁層
１６        ：接着層
１７        ：蓄電ユニット
１８        ：第１の外部電極
１８ａ      ：第１の溶射膜
１８ｂ      ：第１の導電性接着層
１８ｃ      ：第１の金属キャップ
１９        ：第２の外部電極
１９ａ      ：第２の電極膜
１９ｂ      ：第２の導電性接着層
１９ｃ      ：第２の金属キャップ
３０        ：成形型
３０ａ      ：内部空間
３０ｂ      ：注入口
３１        ：樹脂組成物板
３２        ：第１の外装体母材
３２ａ      ：線状凹部
３３        ：短冊状母材
３４        ：第２の外装体母材
３５        ：母材
【図１】
2019004100.tif 000003
【図２】
2019004100.tif 000004
【図３】
2019004100.tif 000005
【図４】
2019004100.tif 000006
【図５】
2019004100.tif 000007
【図６】
2019004100.tif 000008
【図７】
2019004100.tif 000009
【図８】
2019004100.tif 000010
【図９】
2019004100.tif 000011